(57)【要約】      （修正有）【課題】標識の確実な装着状態を確保した上で、該標識の着脱における容易性の向上。【解決手段】被装着部Ａに対して巻回により装着する装着部３に、常に巻回状態を保つようなばね力を有し、このばね力に抗して伸長させることにより巻回状態が解除されるばね部材４を備える。【選択図】図１
0003127593.tif 000002
【実用新案登録請求の範囲】
【請求項１】
被装着部に対して巻回により装着される標識において、  
標識本体部と、前記被装着部に対して巻回により装着する装着部とを一体的に連設してなり、
前記装着部は、常に巻回状態を保つようなばね力を有し、このばね力に抗して伸長させることにより巻回状態が解除されるばね部材を備えてなることを特徴とする標識。
【請求項２】
前記装着部は、被装着部に対して交差する方向に複数本連設された帯状のものであることを特徴とする請求項1に記載の標識。
【請求項３】
前記装着部は、可撓制を有する素材を用いてなるシート状部と、該シート状部に前記ばね力を与えるばね部材とからなることを特徴とする請求項１又は請求項２に記載の標識。
【請求項４】
前記ばね部材が、伸張状態においてその全長に亘って、巻回方向と交差する方向に湾曲する湾曲面が形成され、この湾曲面が付勢力に抗して巻回状態への復帰を阻止し、湾曲面に対して該湾曲面を凹ませる方向の力を加えることにより、湾曲面による前記復帰阻止状態が解除されて巻回状態に復帰する構造の板状の巻付けばねであることを特徴とする請求項３に記載の標識。
【考案の詳細な説明】
【技術分野】
【０００１】
本考案は、例えば、建築現場や工事現場、あるいは各種イベント会場等において、注意事項や規制事項、更には案内事項等を告知するのに使用される標識に関する。
【背景技術】
【０００２】
本考案に関連する先行技術文献情報として、例えば、次の特許文献１が有る。
【特許文献１】特開２０００−１８１３６０号公報
【０００３】
例示した特許文献１には、建築現場等で安全標識として使用される標識（標識シート）が開示されている。
この標識は、被装着部（単管やロープ）に対して巻付けることにより装着されるものであり、標識本体部（シート本体）に一体連設された装着部（巻付け部位、図２において可視情報部位の上方）に第１及び第２の面ファスナが備えられ、被装着部に対して巻付け部位を巻付けた状態で、前記第１及び第２の面ファスナを結合して装着し、該装着状態を保持するようにしたものである。
【考案の開示】
【考案が解決しようとする課題】
【０００４】
本考案者は、標識の着脱における容易性の向上という観点から、鋭意研究の結果本考案に至ったものである。
【０００５】
そこで本考案は、確実な装着状態を確保した上で、該標識の着脱における容易性の向上
を課題とし、この課題を解決した標識の提供を目的とする。
更に、本考案は、前記課題を解決した上で、交差筋交い状とする被装着部に対して装着可能にすることを課題とし、この課題を解決した標識の提供を第２の目的とする。
【課題を解決するための手段】
【０００６】
本考案が前記目的を達成するために採用した技術的手段は、被装着部に対して巻回により装着される標識において、標識本体部と、前記被装着部に対して巻回により装着する装着部とを一体的に連設してなり、前記装着部は、常に巻回状態を保つようなばね力を有し、このばね力に抗して伸長させることにより巻回状態が解除されるばね部材を備えてなることを特徴とする標識にしたことである。
本考案に係るばね部材は、常に巻回状態を保つようなばね力を有するものであればよく、金属材又は合成樹脂材からなる板状材や線状材を用いて巻回形成することで達成できる。
【０００７】
又、本考案が前記第２の目的を達成するために採用した技術的手段は、前記装着部を被装着部に対して交差する方向に複数本連設された帯状にした標識にしたことである。
【０００８】
又、前記装着部は、該装着部がばね部材であってもよいし、可撓制を有する素材を用いてなるシート状部と、該シート状部に前記ばね力を与えるばね部材とから構成してもよい。
【０００９】
標識の着脱における容易性をより向上させるために本考案が採用したばね部材として、例えば、伸張状態においてその全長に亘って、巻回方向と交差する方向に湾曲する湾曲面が形成され、この湾曲面が付勢力に抗して巻回状態への復帰を阻止し、湾曲面に対して該湾曲面を凹ませる方向の力を加えることにより、湾曲面による前記復帰阻止状態が解除されて巻回状態に復帰する構造の板状の巻付けばねであることを特徴とする請求項３に記載の標識。
【考案の効果】
【００１０】
本考案の標識によれば確実な装着状態を確保した上で、該標識の着脱における容易性の向上が期待できる。
又、前記効果を有した上で、交差筋交い状とする被装着部に対して装着可能にすることができる。
【考案を実施するための最良の形態】
【００１１】
以下、本考案の標識を実施するための最良の形態を図面に基づいて説明すると、図１〜図４は本発明に係る標識の第１形態を示し、図５及び図６は第２形態を示しており、図中符号１は標識、符号２は標識本体部、符号３は装着部、符号４はばね部材である。
本形態の標識１は、合成樹脂材製の薄状シートを用いて標識本体部２と装着部３を一体とした略シート状に形成されている。
【００１２】
前記標識本体部２は、注意事項や規制事項、更には案内事項等の表示内容２１が周知の印刷や貼り付け等の手段により記載されている。
【００１３】
前記装着部３には、前記ばね部材４を内蔵するための、薄状シートが二重にされた重合部３１を有しており、該重合部３１にばね部材４が挟み込まれるように内蔵されている。
【００１４】
前記ばね部材４は、後述の被装着部Ａに対して巻回により装着される装着部３に、常に巻回方向への付勢力を与え、装着部３の巻回装着状態を保つようなばね力を有し、このばね力に抗して伸長させることにより巻回状態が解除されるものである。
具体的には、前記ばね部材４は、伸張状態においてその全長に亘って、巻回方向と交差する方向に湾曲する湾曲面４１が形成され、この湾曲面４１が付勢力に抗して巻回状態への復帰を阻止し、湾曲面４１に対して該湾曲面４１を凹ませる方向の力を加えることにより、湾曲面４１による前記復帰阻止状態が解除されて巻回状態に復帰する構造の板状の巻付けばねである。
又、ばね部材４に形成される湾曲面４１は、巻回方向側の面が突出するように湾曲している。
【００１５】
第１形態の標識１は、主に、交差筋交い状とする単管Ａ１，Ａ２とした前述の被装着部Ａに対して装着するのに好適な形態を示している。
具体的には、帯状とする２本の装着部３を備え、該装着部３は、標識本体部２の上端縁から被装着部Ａに向かうように延設されている。
又、装着部３の一方は、被装着部Ａにおける交差部Ａ３より下側に位置する単管Ａ１の角度と直交する角度で延設され、他方は、同じく交差部Ａ３より下側に位置する単管Ａ２の角度と直交する角度で延設されている。
又、装着部３の長さは、単管Ａ１，Ａ２に対して約一周半程度巻き付けられる長さにしている。
又、装着部３には、該装着部３のほぼ全域に亘って夫々２箇所の重合部３１が設けられており、該重合部３１毎に重合部３１のほぼ全域に亘ってばね部材４が内蔵されている。
又、ばね部材４は、湾曲面４１の突出する側の面を、装着時において装着部３の被装着部Ａに対向させる面（以下、「裏面３２」という）と同方向に向けて内蔵されている。
【００１６】
第２形態の標識１は、主に、地面と平行状とする単管Ａ４とした前述の被装着部Ａに対して装着するのに好適な形態を示している。
具体的には、標識本体部２の上端部と同幅で被装着部Ａに向かうように延設された装着部３を備えたものである。
又、装着部３には、左右両端側と  上下方向に長い長方形とする帯形状を呈する３箇所の重合部３１が設けられており、重合部３１毎に重合部３１のほぼ全域に亘ってばね部材４が内蔵されている。
又、装着部３の長さは、単管Ａ４に対して約一周半程度巻き付けられる長さにしている。
尚、第１形態と重複する部位の説明は、同符号を付すことにより省略する。
【００１７】
このように構成された標識１によれば、装着前の標識１では、ばね部材４がその湾曲面４１により、巻回状態への復帰が阻止されて略板状を保持しているため、標識本体部２と装着部３とが同一平面となるシート状を呈している。
又、標識Ａを被装着部Ａに装着するには、装着部３における裏面３２を被装着部Ａに向けるとともに、装着部３を被装着部Ａに対して叩きつけるようにする。
すると、内蔵されたばね部材４における湾曲面４１に凹ます方向の力が作用し、その力により湾曲面４１が凹むと同時に、湾曲面４１による巻回方向への復帰阻止状態が解除され、ばね部材４がそのばね力によって巻回され、巻回状態に復帰する。
そして、ばね部材４の巻回状態への復帰に伴って、装着部３がばね部材４の巻回動作と同様な動作をして被装着部Ａに巻付けされ、この装着部３の巻付けにより標識１が被装着部Ａに装着される。
又、被装着部Ａに装着された装着部３を取外すには、標識本体部２又は装着部３をばね力よりも強い力で下方に引っ張り、装着部３を伸張させるように力を加えて、巻回状態にあるばね部材４を伸張させることにより、装着部３の被装着部Ａに対する巻付け状態が解除され、この装着部３の巻付け状態解除により、標識１が被装着部Ａから取外される。
【００１８】
したがって、本形態の標識１は、ほぼワンタッチの動作で被装着部Ａに対して着脱することができる。
しかも、標識１の取付け状態では、装着部３が内蔵されたばね部材４のばね力によって被装着部Ａに巻回保持され、該ばね部材４を引っ張ることで伸張させて巻回が解除されるものであるため、標識１に風や衝撃等が作用しても外れにくいものである。
又、第１形態の標識では、前記効果を有した上で、交差筋交い状とする被装着部Ａに対して装着することができる。
又、第２形態の標識１では、前記効果を有した上で、しかも、非装着時において、装着部３を巻回状態にしておくことにより、この装着部３の巻回に連続して標識本体部２を見解することにより、標識１を筒状とすることができるので、良好な収納性や運搬性という点で有効である（図示せず）。
【００１９】
尚、本考案は、例示した実施の形態に限定するものではなく、実用新案登録請求の範囲に記載された内容から逸脱することなく、他の構成による実施も可能である。
例えば、前記第１形態で例示した装着部の傾斜角度は、例示した角度に限定するものではなく、被装着部に対応する角度であればよいし、装着部を標識本体部の上端部から垂直方向に延設すれば、第２形態の標識と同様に、地面と平行状とする単管とした前述の被装着部に対して装着するのに好適な形態にすることができる。
又、第１形態及び第２形態で例示したばね部材は、例示した板状の巻付けばねに限定するものではなく、線状材から構成された巻付けばねとしてもよいものである。
【図面の簡単な説明】
【００２０】
【図１】本考案に係る第１形態の標識の正面図で被装着状態を示す。
【図２】図１の（２）-（２）線拡大断面図。
【図３】本考案に係る第１形態の標識の正面図で装着状態を示す。
【図４】図３の（４）-（４）線拡大断面図。
【図５】本考案に係る第２形態の標識の正面図で被装着状態を示す。
【図６】本考案に係る第２形態の標識の正面図で装着状態を示す。
【符号の説明】
【００２１】
Ａ：被装着部
１：標識
２：標識本体部
３：装着部
４：ばね部材
３１：重合部
４１：湾曲面
【図１】
0003127593.tif 000003
【図２】
0003127593.tif 000004
【図３】
0003127593.tif 000005
【図４】
0003127593.tif 000006
【図５】
0003127593.tif 000007
【図６】
0003127593.tif 000008